【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
産業用建物において空気を循環させるための扇風機アセンブリであって、該扇風機アセンブリは、以下：
該産業用建物の屋根への該扇風機アセンブリの取り付けを可能にするように適合された、支持体；
該支持体に接続されたモータであって、該モータは、回転可能なシャフトの回転を誘導するように、該回転可能なシャフトに係合されている、モータ；ならびに
該回転可能なシャフトに取り付けられた複数のエーロフォイル形状の扇風機翼であって、各扇風機翼は、第一の湾曲した壁が第二の湾曲した壁と接合されて、前接合部および後接合部を形成するように、押出加工された材料から形成されており、そして該後接合部が、後縁を有する第三の湾曲した壁を形成するように延び、各翼が、屈曲フランジをさらに備え、該フランジは、該後縁から、該後縁を強化する連続的な様式で遠位に延びる、複数の扇風機翼、
を備える、扇風機アセンブリ。
【請求項２】
前記フランジが、前記第三の湾曲した壁の下面から下向きに延びている、請求項１に記載の扇風機アセンブリ。
【請求項３】
前記第一の湾曲した壁が、前記第二の湾曲した壁に接合されて、中空内部領域を形成する、請求項１に記載の扇風機アセンブリ。
【請求項４】
前記第一の湾曲した壁が、前記第二の湾曲した壁に接合されて、中実内部領域を形成する、請求項１に記載の扇風機アセンブリ。
【請求項５】
各扇風機翼が、約５インチと８インチとの間の断面幅を備える、請求項１に記載の扇風機アセンブリ。
【請求項６】
各扇風機翼が、約０．７５（３／４）インチと１．５０（３／２）インチとの間の断面高さを備える、請求項１に記載の扇風機アセンブリ。
【請求項７】
各扇風機翼が、約４フィートと１５フィートとの間の長さを備える、請求項１に記載の扇風機アセンブリ。
【請求項８】
前記第一の湾曲した壁および前記第二の湾曲した壁が、約０．０６２５（１／１６）インチと０．１８７５（３／１６）インチとの間の厚さを備える、請求項１に記載の扇風機アセンブリ。
【請求項９】
前記第三の湾曲した壁が、テーパ状の形状を備え、該形状が、該第三の湾曲した壁の長さに沿って、前記後接合部における約０．１８７５（３／１６）インチから前記後縁における約０．０６２５（１／１６）インチへと厚さを減少させる、請求項１に記載の扇風機アセンブリ。
【請求項１０】
前記フランジが、約０．１２５（１／８）インチと約０．３７５（３／８）インチとの間の長さを備える、請求項１に記載の扇風機アセンブリ。
【請求項１１】
前記複数の扇風機翼が、ハブに取り付けられており、該ハブが、前記回転可能なシャフトに接続されている、請求項１に記載の扇風機アセンブリ。
【請求項１２】
前記複数の扇風機翼が、少なくとも１０個の扇風機翼を備える、請求項１に記載の扇風機アセンブリ。
【請求項１３】
前記複数の扇風機翼の各々が、押出加工技術を使用して製造される、請求項１に記載の扇風機アセンブリ。
【請求項１４】
前記押出加工された金属が、アルミニウムを含有する、請求項１３に記載の扇風機アセンブリ。
【請求項１５】
産業用建物において使用される扇風機アセンブリのための金属扇風機翼であって、該扇風機翼は、約７インチの断面幅を備え、かつ複数の湾曲した壁を有する押出加工された断面プロフィールを備え、第一の湾曲した壁が、第二の湾曲した壁に接合されてエーロフォイル形状を形成し、そして該第一の湾曲した壁が、テーパ状の後縁を形成するように延び、そして該テーパ状の後縁の遠位端が、該後縁の方向から外向きに延びるフランジを形成するように遠位端において屈曲し、該後縁のフランジ付きの部分は、該後縁の下面から下向きに延び、その結果、該フランジ付きの部分の、該後縁の下面からの角変位が、該後縁の構造的剛性を増加させる強化領域を形成し、その結果、該フランジ付きの後縁が、損傷に抵抗し、そして該フランジが、該扇風機翼を有する扇風機アセンブリの作動から生じる気流の体積を増加させる、扇風機翼。
【請求項１６】
前記第一の湾曲した壁が、前記第二の湾曲した壁に接合されて、中空内部領域を形成する、請求項１５に記載の扇風機翼。
【請求項１７】
前記第一の湾曲した壁が、前記第二の湾曲した壁に接合されて、中実内部領域を形成する、請求項１５に記載の扇風機翼。
【請求項１８】
前記押出加工された断面プロフィールが、約１インチの断面高さを備える、請求項１５に記載の扇風機翼。
【請求項１９】
前記扇風機翼が、少なくとも４フィートの長さを備える、請求項１５に記載の扇風機翼。
【請求項２０】
前記扇風機翼が、少なくとも１５フィート未満の長さを備える、請求項１５に記載の扇風機翼。
【請求項２１】
前記第一の湾曲した壁および第二の湾曲した壁が、約０．１５６２５（５／３２）インチの厚さを備える、請求項１５に記載の扇風機翼。
【請求項２２】
前記後縁が、テーパ状の形状を備え、該テーパ状の形状が、その長さに沿って厚さを減少させる、請求項１５に記載の扇風機翼。
【請求項２３】
前記フランジが、約０．１２５（１／８）インチと０．３７５（３／８）インチとの間の長さを備える、請求項１５に記載の扇風機翼。
【請求項２４】
前記扇風機翼が、押出加工ダイを使用して製造され、該扇風機翼の押出加工された断面プロフィールを形成する、請求項１５に記載の扇風機翼。
【請求項２５】
前記扇風機翼が、アルミニウム押出加工技術を使用して形成される、請求項１５に記載の扇風機翼。
【請求項２６】
産業用建物を冷却するための扇風機アセンブリであって、該扇風機アセンブリは、以下：
該扇風機アセンブリを該産業用建物の天井に取り付ける回転可能なハブを有する、設置アセンブリ；
該回転可能なハブに設置された複数の扇風機翼であって、該複数の扇風機翼の各々が、少なくとも４フィートの長さであり、そして第一のエーロフォイルセクションおよびテーパ状の後縁を有するように、押出加工された金属から形成されており、該テーパ状の後縁は該扇風機翼の壁から延び、そして該テーパ状の後縁が、前記フランジを形成するように遠位端において屈曲して該テーパ状の後縁を強化し、これによって、そして該扇風機翼の回転の間の増加された下向きの推力を提供する、複数の扇風機翼、
を備える、扇風機アセンブリ。
【請求項２７】
第一の湾曲した壁が、第二の湾曲した壁に接合されて、中空内部領域を有する前記第一のエーロフォイルセクションを形成する、請求項２６に記載の扇風機アセンブリ。
【請求項２８】
前記複数の扇風機翼が、押出加工製造プロセスを使用して形成される、請求項２６に記載の扇風機アセンブリ。
【請求項２９】
前記フランジが、前記押出加工製造プロセスの間に、前記テーパ状の後縁を強化し、その結果、該テーパ状の後縁が、形成されている間に引き裂きに抵抗する、請求項２６に記載の扇風機アセンブリ。
【請求項３０】
前記複数の扇風機翼の各々が、アルミニウムを含有する、請求項２６に記載の扇風機アセンブリ。
【請求項３１】
扇風機翼を形成する方法であって、以下：
金属を軟化させる工程；
押出加工プレスを使用して該金属を押出加工ダイに押し込む工程であって、その結果、冷却された金属扇風機翼が、該押出加工ダイから押し出され、該冷却された金属扇風機翼が、均一な断面において、第一のエーロフォイルセクションおよび該第一のエーロフォイルセクションの端部に一体的に取り付けられたテーパ状の後縁、ならびに該テーパ状の後縁の方向から外向きに延びる強化フランジを備え、該強化フランジは、押出加工の間、該テーパ状の後縁を強化して、該テーパ状の後縁が引き裂かれることを阻止する、工程、
を包含する、方法。
【請求項３２】
前記金属を軟化させる工程が、アルミニウムを軟化させる工程を包含する、請求項３１に記載の方法。
【請求項３３】
前記金属を軟化させる工程が、銅、マンガン、ケイ素、マグネシウム、および亜鉛のうちの少なくとも１つと合金化されたアルミニウムを軟化させる工程を包含する、請求項３１に記載の方法。
【請求項３４】
前記方法が、中空内部領域を有する前記扇風機翼を製造するための押出加工鋳型を形成する工程をさらに包含する、請求項３１に記載の方法。
【請求項３５】
前記方法が、中実内部領域を有する前記扇風機翼を製造するための押出加工鋳型を形成する工程をさらに包含する、請求項３１に記載の方法。
【請求項３６】
前記接合された扇風機翼が、複数の個々の扇風機翼を形成するように分離されている、請求項３１に記載の方法。
【請求項３７】
前記金属を前記押出加工鋳型に押し込む工程が、均一な断面を有する少なくとも１つの扇風機翼を製造する、請求項３１に記載の方法。
【請求項３８】
前記金属を前記押出加工鋳型に押し込む工程が、第一の表面および第二の表面を有する少なくとも１つの扇風機翼を製造し、該第一の表面および第二の表目が、一緒になって、前記エーロフォイルセクションを形成し、該エーロフォイルセクションは、該少なくとも１つの扇風機翼によって生じる気流の円柱特性を増強する、請求項３７に記載の方法。
【請求項３９】
前記金属を前記押出加工鋳型に押し込む工程が、拡張された第一の表面を有する少なくとも１つの扇風機翼を製造し、該拡張された第一の表面は、前記テーパ状の後縁および前記強化フランジのうちの少なくとも１つを備え、これによって、改善されたエーロフォイル設計を生じる、請求項３８に記載の方法。
【請求項４０】
産業用建物において空気を循環させるための扇風機アセンブリであって、該扇風機アセンブリは、以下：
該産業用建物の屋根への該扇風機アセンブリの取り付けを可能にするように適合された、支持体；
該支持体に接続されたモータであって、該モータは、回転可能なシャフトの回転を誘導するように、該回転可能なシャフトに係合されている、モータ；ならびに
該回転可能なシャフトに取り付けられた複数の扇風機翼であって、各扇風機翼は、第一の湾曲した壁が第二の湾曲した壁と接合されて、前接合部および後接合部を形成するように、押出加工された金属から形成されており、そして該後接合部が、テーパ状の形状を有する第三の湾曲した壁を形成するように延び、該形状が、該第三の湾曲した壁の長さに沿って、該後接合部における約０．１８７５（３／１６）インチから後縁における約０．０６２５（１／１６）インチへと厚さを減少させ、各翼が、フランジをさらに備え、該フランジは、該後縁から連続的な様式で遠位に延び、その結果、該フランジの、該後縁からの角変位が、該後縁を強化する屈曲領域を形成する、複数の扇風機翼、
を備える、扇風機アセンブリ。
【請求項４１】
産業用建物において使用される扇風機アセンブリのための金属扇風機翼であって、該扇風機翼は、複数の湾曲した壁を有する押出加工された断面プロフィールを備え、約０．１５６２５（５／３２）インチの厚さを備える第一の湾曲した壁が、約０．１５６２５（５／３２）インチの厚さを備える第二の湾曲した壁に接合されて、後縁を有するエーロフォイル形状を形成し、該後縁は、該後縁の方向から外向きに延びるフランジを備え、該後縁のフランジ付きの部分は、該後縁の下面から下向きに延び、その結果、該フランジ付きの部分の、該後縁の下面からの角変位が、該後縁の構造的剛性を増加させる強化領域を形成し、その結果、該フランジ付きの後縁が、損傷に抵抗し、そして該フランジが、該扇風機翼を有する扇風機アセンブリの作動から生じる気流の体積を増加させる、扇風機翼。
【請求項４２】
前記後縁が、テーパ状の形状を備え、該テーパ状の形状が、その長さに沿って厚さを減少させる、請求項４１に記載の扇風機翼。
【請求項４３】
前記フランジが、約０．１２５（１／８）インチと０．３７５（３／８）インチとの間の長さを備える、請求項４１に記載の扇風機翼。
【請求項４４】
前記扇風機翼が、押出加工ダイを使用して製造され、該扇風機翼の押出加工された断面プロフィールを形成する、請求項４１に記載の扇風機翼。
【請求項４５】
前記扇風機翼が、アルミニウム押出加工技術を使用して形成される、請求項４１に記載の扇風機翼。
【手続補正２】
【補正対象書類名】明細書
【補正対象項目名】００１０
【補正方法】変更
【補正の内容】
【００１０】
さらに、各扇風機翼は、約５インチと約８インチとの間の断面を備え得る。各扇風機翼は、約０．７５（３／４）インチと１．５０（３／２）インチとの間の断面高さを備える。各扇風機翼は、約４フィートと１４フィートとの間の長さを備える。第一の湾曲した壁および第二の湾曲した壁は、約０．６２５（１／１６）インチと０．１８７５（３／１６）インチとの間の厚さを備える。第三の湾曲した壁は、その長さに沿って、後接合部における約０．１２５（１／８）インチから、後縁における０．０６２５（１／１６）インチへと厚さが減少する、テーパ状の形状を備える。
【手続補正３】
【補正対象書類名】明細書
【補正対象項目名】００１６
【補正方法】変更
【補正の内容】
【００１６】
（好ましい実施形態の詳細な説明）
ここで、図面が参照され、図面において、類似の番号は、全体を通して、類似の部品を表す。図１は、大きい商業用建物および／または産業用建物１０６の天井１１０に隣接して位置決めされ得る強化された後端５１４を各々が有する、複数の扇風機翼３１６を有する扇風機アセンブリ１００の１つの実施形態を図示する。本明細書中以下でさらに詳細に記載されるような様式で、押出加工プロセスが使用されて、強化された後縁５１４を有する各扇風機翼３１６を形成され得る。１つの局面において、押出加工の間の扇風機翼３１６への後縁の引き裂きの発生は、本明細書中以下でさらに詳細に記載される様式で、強化
された後縁５１４の支持特徴に起因して、減少され得る。
【手続補正４】
【補正対象書類名】明細書
【補正対象項目名】００２０
【補正方法】変更
【補正の内容】
【００２０】
さらに、扇風機翼３１６の空気力学的品質は、テーパ状の後縁５１４を扇風機翼３１６に形成することによって改善され得、これは、図５、６を参照してさらに詳細に議論されるように、扇風機アセンブリ１００からのより均一な気流を生じ得る。また、標準的なファスナーを使用して、カップが、扇風機翼３１６の遠位端に設置され得、これによって、端部の開口部を覆い、そして連続的な外側表面を提供する。１つの実施形態において、このカップは、扇風機翼３１６の断面積に本質的に一致する、最小の構造を備え得る。
【手続補正５】
【補正対象書類名】明細書
【補正対象項目名】００２２
【補正方法】変更
【補正の内容】
【００２２】
１つの局面において、気流２０２は、最初、柱状の様式で、扇風機アセンブリ１００の下方に位置する床領域２１２の方へと下向きに流れる。気流２０２が床領域２１２に達すると、気流２０２は、引き続いて、床領域２１２によって分岐されて、下方の水平気流２０４として、半径方向の様式で外向きに広がる。続いて、下方の水平気流２０４は、倉庫の壁２１４によって、上向きの気流２０６に方向付けられ、この気流はさらに、倉庫の天井１１０によって、上方の内向きに移動する水平気流２１０に方向付けられる。扇風機アセンブリ１００の上方の領域２１６に達すると、気流２１０に戻る空気は、扇風機アセン
ブリ１００の作用によって再度下向きに方向付けられ、これによって、このサイクルを繰り返す。有利には、扇風機アセンブリ１００によって生じる循環気流２００は、倉庫の内部１０６の個々の作業内部のための、快適な作業環境を提供する。
【手続補正６】
【補正対象書類名】明細書
【補正対象項目名】００２３
【補正方法】変更
【補正の内容】
【００２３】
図３は、図１、２における扇風機アセンブリ１００の詳細な側面立面図を図示する。扇風機アセンブリ１００は、支持フレーム３０２からの機械的支持体を受容する。支持フレーム３０２は、上部鋼水平プレート３２２を備え、このプレートは、支持構造体と、プレート３２２の第一の表面３６６との間に接触がなされ、扇風機アセンブリ１００が天井に隣接して設置されることを可能にするように、天井に隣接する適切な水平支持構造体に取り付けられるように適合される。１つの実施形態において、プレート３２２は、扇風機アセンブリ１００が、図１に示されるものと類似の様式で建物の天井から下向きに延びるように、天井支持グライダーにボルトで止められる。
【手続補正７】
【補正対象書類名】明細書
【補正対象項目名】００２８
【補正方法】変更
【補正の内容】
【００２８】
さらに、２つの表面５０６、５１０は、前縁５１２において合流する。中空内部領域５２２（これはまた、空洞領域と称され得る）は、直角の形状の広い中心セクション５００を備え得る。平坦な第三の表面５１６が、セクション５００の内部において、内壁５２４の内側に形成され得、そして平坦な第四の表面５２０が、セクション５００の領域において、壁５３０の内部に形成され得る。１つの局面において、平坦な内部表面５１６、５２０は、実質的に、互いに平行であり得る。扇風機翼３１６は、図５Ａに見られるように、本発明の範囲から逸脱することなく、中実の内部領域を備え得ることが、理解されるべきである。強化された後縁５１４を含めた扇風機翼３１６の断面寸法は、図７Ｂを参照して本明細書中以下でさらに詳細に記載されることもまた、理解されるべきである。
【手続補正８】
【補正対象書類名】明細書
【補正対象項目名】００３１
【補正方法】変更
【補正の内容】
【００３１】
１つの局面において、屈曲領域５３６は、構造的な屈曲が、相対的に平行な、そしてその長さに対して垂直な、２つの次元で支持力を提供することによって剛性を改善するような様式で、強化された後縁５１４の遠位端の強度を増加させる。本出願人は、扇風機翼３１６の押出加工の間に、屈曲領域５３６もフランジ５３８も備えない後縁が、巻き上がるか、引き裂かれるか、またはこの後縁の構造的一体性に不利な影響を与えるようなよう式で変形し得ることを観察した。例えば、材料が押出加工ダイを強制的に通される結果として、支持されていない後縁の引き裂きが、押出加工の間に起こり得、その結果、圧力が、支持されていない領域を引き裂く傾向がある。形成の間、押出加工された材料が押出加工ダイを離れるにつれて、圧力差が後接合部５３２において生じ、ここで、２つの外側表面５０６、５１０の大きい塊の材料が、後接合部５３２において互いを支え、支持されていない後縁は、後縁５１４の長さがより長くされるので、より引き裂きに対して感受性である。不運なことに、より短い後縁は、扇風機翼３１６の空気力学的性能を低下させる。
【手続補正９】
【補正対象書類名】明細書
【補正対象項目名】００３６
【補正方法】変更
【補正の内容】
【００３６】
有利には、扇風機アセンブリ１００を設計することに関与する技術的困難が、革新的な設計特徴を組み込むことによって、克服された。具体的には、扇風機翼３１６の長さが、押出加工されたアルミニウムの技術を使用して製造され得る。この方法は、丈夫で、軽量で、かつ製造が比較的安価な扇風機翼３１６を生じる。押出加工方法はまた、扇風機翼３１６が、エーロフォイル形状を有するように製造されることを可能にし得、これは、柱状の気流が発生されることを可能にする。
【手続補正１０】
【補正対象書類名】明細書
【補正対象項目名】００４４
【補正方法】変更
【補正の内容】
【００４４】
さらに、ビレット７０２の大きさおよびダイ７０８の開口部の大きさに依存して、１００フィート程度に長い連続的な押出加工物が、押出プレス７０６の各工程において製造され得る。新たに形成された押出加工された扇風機翼３１６は、押出加工された扇風機翼３１６が押出加工プレス７０６を離れるにつれて、流出コンベア上に支持され得る。次いで、この押出加工物は、ダイ７０８からの押し出しの後に、冷却テーブルに移され得、そして空気または水でのクエンチの使用によって、冷却される。
【手続補正１１】
【補正対象書類名】明細書
【補正対象項目名】００４６
【補正方法】変更
【補正の内容】
【００４６】
次の製造構成要素は、熟成オーブン７１４を備え得る。当該分野において公知であるように、いくらかの押出加工合金は、その最適強度に、熟成のプロセスを介して達し、このプロセスは、熟成効果と称され得る。天然の熟成は、室温で起こり得、そして人口の熟成は、熟成オーブン７１４内での制御された加熱を包含し得、この加熱は、正確な温度処理と称され得る。１つの局面において、押出加工されたプロフィールが押出加工プレス７０６から出現する場合に、押出加工されたプロフィールは、半固体の状態を備え得るが、これが冷却またはクエンチされるにつれて、急激に固化する。アルミニウム合金（例えば、マンガンまたはマグネシウムを含有するもの）が、天然の熟成および冷間加工を介して、それらの強度を誘導することが、理解されるべきである。あるいは、他のアルミニウム合金（例えば、銅、亜鉛、ならびにマグネシウムおよびケイ素を含有するもの）は、この合金の冶金構造に影響を与える、制御された熱処理を介して、さらに強化または硬化され得る。引き続いて、熟成プロセスは、この金属を通しての微粒子の実質的に均一な沈殿を確実にして、特定の押出加工合金に、増加した強度、高度、および弾性を与える。
【手続補正１２】
【補正対象書類名】明細書
【補正対象項目名】００４７
【補正方法】変更
【補正の内容】
【００４７】
押出加工プロセスは、図７Ａを参照して記載されたように、押出ビレット７０２を押出加工ダイ７０８に強制的に通すことによって、連続的な断面を有する扇風機翼３１６を形成するために使用され得る。この押出加工ダイは、図７Ｂに図示されるような扇風機翼３１６の断面のプロフィール開口部を備える。強化された後縁５１４を有する押出加工された扇風機翼３１６を形成するプロセスは、以下のように進行し得る。押出加工ダイ７０８が準備され得、そして押出加工プレス７０６に取り付けられ得る。次に、押出加工ビレット７０２（これは、好ましくは、アルミニウム合金を含有する）が、押出加工プレス容器に入れられ得、そして加熱炉７０４内で予熱され得る。しなやかなビレット７０２が、強化された後縁５１４を有する扇風機翼３１６を形成するような様式で、押出加工プレス７０６を使用してビレット７０２に圧力を付与することによって、押出加工ダイ７０８を強制的に通され得る。一旦、扇風機翼３１６の押出加工されたプロフィールが冷却され、そして歪み取りにおいて真っ直ぐにされた後に、押出加工されたプロフィールは、予め決定された間隔で、鋸７１２を使用して切断され得、これによって、押出加工されたプロフィールから、扇風機翼３１６の所望の長さを有する複数の扇風機翼３１６を形成する。さら
なる加工は、押出加工された扇風機翼３１６を、先に記載されたようなよう式で熟成させる工程を包含し得る。押出加工された扇風機翼３１６を加工した後に、扇風機翼３１６を形成するプロセスが完了する。
【手続補正１３】
【補正対象書類名】図面
【補正対象項目名】全図
【補正方法】変更
【補正の内容】
【図１】
2006516315.tif 000001
【図２】
2006516315.tif 000002
【図３】
2006516315.tif 000003
【図４】
2006516315.tif 000004
【図５】
2006516315.tif 000005
【図５Ａ】
2006516315.tif 000006
【図６】
2006516315.tif 000007
【図７Ａ】
2006516315.tif 000008
【図７Ｂ】
2006516315.tif 000009